(57)【要約】      （修正有）【課題】接続構成が簡単で、取り外し工程が快速であり、気密性の高い空気検測用補助集気スパウトを提供する。【解決手段】検測部１を含み、検測部の右側にカバー２が設けられ、カバーの検測部寄りの一端における外側に外環５が設けられ、内側に内環１５が設けられ、外環と内環の間は係合溝１３をなし、係合溝の大きさは検測部の接続端の大きさと等しく、直接に接続と抜き取りが可能である。また、係合溝の一側にゴムリング１４が設けられ、検測部の接続端におけるゴムリングに対応する位置に凹溝４が設けられ、係合溝と接続端が係合する時に、ゴムリングは凹溝の内側まで低くなって、気密性を向上させる。【選択図】図２
0003224359.tif 000002
【実用新案登録請求の範囲】
【請求項１】
検測部（１）を含む空気検測用補助集気スパウトであって、前記検測部（１）の右側に
カバー（２）が設けられ、前記検測部（１）におけるカバー（２）寄り側に凹溝（４）が
設けられており、前記カバー（２）における検測部（１）寄りの一端における外側に外環
（５）が設けられ、カバー（２）における検測部（１）寄りの一端における内側に内環（
１５）が設けられ、前記外環（５）と前記内環（１５）の間は係合溝（１３）を成してお
り、前記係合溝（１３）における凹溝（４）に対応する位置にゴムリング（１４）が設け
られており、前記カバー（２）における検測部（１）と反対側且つカバー（２）の内部に
おける中間位置に鉄網（１２）が設けられ、前記鉄網（１２）における検測部（１）と反
対側に第一の止め溝（６）が設けられており、前記第一の止め溝（６）に固定軸（１１）
が設けられ、前記固定軸（１１）は５本設けられており、５本の前記固定軸（１１）の中
間位置にそれぞれ固定子（８）が設けられ、前記第一の止め溝（６）における鉄網（１２
）と反対側位置に鋼リング（３）が設けられ、前記鋼リング（３）の内部における左右両
側にそれぞれ固定板（１７）が設けられ、且つ鋼リング（３）の内側壁に第二の止め溝（
７）が設けられており、前記第二の止め溝（７）に回動軸（１０）が設けられ、前記回動
軸（１０）は５本設けられており、５本の前記回動軸（１０）の外側にそれぞれ回転板（
９）が設けられ、５本の前記回転板（９）の左側にそれぞれ係合ブロック（１６）が設け
られており、５本の前記回転板（９）の右側、および左側にある前記固定板（１７）の右
側にそれぞれ係合穴（１８）が設けられていることを特徴とする空気検測用補助集気スパ
ウト。
【請求項２】
検測部（１）と係合溝（１３）が接続状態とされる時に、前記検測部（１）の外側壁が
係合溝（１３）の内側壁に密着されかつゴムリング（１４）の外側壁が凹溝（４）の内側
壁に密着されるように構成されていることを特徴とする請求項１に記載の空気検測用補助
集気スパウト。
【請求項３】
各５本の前記固定子（８）における各５本の前記回転板（９）寄り側にそれぞれ固定溝
が設けられ、該固定溝の幅は回転板（９）の幅と同じであることを特徴とする請求項１に
記載の空気検測用補助集気スパウト。
【請求項４】
前記第一の止め溝（６）と固定軸（１１）の間および第二の止め溝（７）と回動軸（１
０）の間はともに粘着剤により接続されることを特徴とする請求項１に記載の空気検測用
補助集気スパウト。
【請求項５】
回転板（９）が閉合状態とされる時に、それと近隣の前記回転板（９）の間および近隣
の回転板（９）と固定板（１７）の間はともに隙間なく接続されるように構成されている
ことを特徴とする請求項１に記載の空気検測用補助集気スパウト。
【請求項６】
係合ブロック（１６）と係合穴（１８）が接続状態とされる時に、前記回転板（９）の
上面、係合ブロック（１６）の上面、固定板（１７）の上面および係合穴（１８）の上面
はすべて面一であるように構成されていることを特徴とする請求項１に記載の空気検測用
補助集気スパウト。
【考案の詳細な説明】
【技術分野】
【０００１】
本実用新案は本実用新案は空気検測の技術分野に関し、具体的に空気検測用補助集気ス
パウトに関する。
【従来の技術】
【０００２】
人々の生活水準が高くなるにつれて、空気の質量に対する要求は厳しくなり、空気質量
の検測も厳しくなる。これに応じて、空気検測部は提案されている。空気検測部において
補助集気スパウトが大切な構成部分となる。従来の空気検測用補助集気スパウトの製造プ
ロセスは日に日に完璧になっているが、まだ改良の余地がある。
【０００３】
従来の技術において下記の課題がある。
従来の空気検測用補助集気スパウトは、接続構成が比較的に複雑で、取り外し工程が煩
瑣であり、使用効果が良くない。
【考案の概要】
【０００４】
上記従来の技術に提出した課題を解決するために、本実用新案は接続構成が簡単で、取
り外し工程が快速であり、使用効果が優れる空気検測用補助集気スパウトを提出する。
【０００５】
上記の目的を達成するために、本実用新案は以下の技術を提出している。すなわち、検
測部を含む空気検測用補助集気スパウトであって、前記検測部の右側にカバーが設けられ
、前記検測部１におけるカバー寄り側に凹溝が設けられており、前記カバーにおける検測
部寄りの一端における外側に外環が設けられ、カバーにおける検測部寄りの一端における
内側に内環が設けられ、前記外環と前記内環の間は係合溝を成しており、前記係合溝にお
ける凹溝に対応する位置にゴムリングが設けられており、前記カバーにおける検測部と反
対側且つカバーの内部における中間位置に鉄網が設けられ、前記鉄網における検測部と反
対側に第一の止め溝が設けられており、前記第一の止め溝に固定軸が設けられ、前記固定
軸は５本設けられており、５本の前記固定軸の中間位置にそれぞれ固定子が設けられ、前
記第一の止め溝における鉄網と反対側位置に鋼リングが設けられ、前記鋼リングの内部に
おける左右両側にそれぞれ固定板が設けられ、且つ鋼リングの内側壁に第二の止め溝が設
けられており、前記第二の止め溝に回動軸が設けられ、前記回動軸は５本設けられており
、５本の前記回動軸の外側にそれぞれ回転板が設けられ、５本の前記回転板の左側にそれ
ぞれ係合ブロックが設けられており、５本の前記回転板の右側、および左側にある前記固
定板の右側にそれぞれ係合穴が設けられている前記空気検測用補助集気スパウトを提供し
ている。
【０００６】
好ましくは、検測部と係合溝が接続状態とされる時に、前記検測部の外側壁が係合溝の
内側壁に密着されかつゴムリングの外側壁が凹溝の内側壁に密着されるように構成されて
いる。
【０００７】
好ましくは、各５本の前記固定子における各５本の前記回転板寄り側にそれぞれ固定溝
が設けられ、該固定溝の幅は回転板の幅と同じである。
【０００８】
好ましくは、前記第一の止め溝と固定軸の間および第二の止め溝と回動軸の間はともに
粘着剤により接続される。
【０００９】
好ましくは、回転板が閉合状態とされる時に、近隣の前記回転板の間および近隣の回転
板と固定板の間はともに隙間なく接続されるように構成されている。
【００１０】
好ましくは、係合ブロックと係合穴が接続状態とされる時に、前記回転板の上面、係合
ブロックの上面、固定板の上面および係合穴の上面はすべて面一であるように構成されて
いる。
【００１１】
従来の技術と比べて、本実用新案の有益な効果は以下の通りである。
【００１２】
１）本実用新案において、カバーにおける検測部寄り側に外環と内環がそれぞれ設けら
れ、外環と内環の間隙により係合溝を成し、係合溝の大きさは検測部の接続端の大きさと
等しく、接続際に直接に係あえば接続されるようになり、取外し際には直接に抜き取れば
よく、接続構成が簡単で、取り外し工程が快速であり、使用効果が優れる。また、係合溝
の一側にゴムリングが設けられ、検測部の接続端におけるゴムリングに対応する位置に凹
溝が設けられ、係合溝と接続端が係合する時に、ゴムリングは凹溝の内側まで低くなって
、気密性を向上することができる。
【００１３】
２）本実用新案において、カバーにおける鋼リング寄り側に固定軸が設けられ、固定軸
に固定子が設けられ、鋼リングの内部における左右両側部にそれぞれ固定板が設けられ、
両側の固定板の間に回動軸が設けられ、回動軸に回転板が設けられている。非動作状態に
される時に、近隣の回転板の間および近隣回転板と固定板の間はともに係合ブロックと係
合穴の係合により隙間なく接続される。この時に、検測部とカバーが密閉状態となる。こ
れにより、外部から検測部の内部への粉塵進入による以降の空気検測の精度に影響を与え
ることを効果的に防止できる。動作状態にされる時に、各回転板は押されながら回動軸を
回って回転するとともに、対応する固定子により固定される。この時に、検測部とカバー
が開放状態となる。これにより、空気検測部の空気検測を補助でき、優れる競争力を持た
せる。
【図面の簡単な説明】
【００１４】
【図１】本実用新案にかかる正面構成模式図。
【図２】本実用新案にかかる断面構成模式図。
【図３】本実用新案にかかる回転板の閉合状態の右面構成模式図。
【図４】本実用新案にかかる回転板の開放状態の右面構成模式図。
【考案を実施するための形態】
【００１５】
以下、本実用新案の実施例および附図を利用して、本実用新案実施例中における技術案
をさらに明確的に、十分的に説明する。明らかには、記載した実施例は、単に本実用新案
の一部実施例であり、すべての実施例とは理解できない。本実用新案の実施例に基づいて
、本分野の当業者によって創造的な労働を費やさず得られる全ての実施例は、本実用新案
に保護を求める範囲に含まれる。
【００１６】
図１〜４に示すように、本実用新案は以下の技術案を提供する。本実用新案にかかる空
気検測用補助集気スパウトは検測部１を含み、検測部１の右側にカバー２が設けられ、検
測部１におけるカバー２寄り側に凹溝４が設けられており、カバー２における検測部１寄
りの一端における外側に外環５が設けられ、カバー２における検測部１寄りの一端におけ
る内側に内環１５が設けられ、外環５と内環１５の間は係合溝１３を成しており、係合溝
１３における凹溝４に対応する位置にゴムリング１４が設けられることにより、気密性を
向上する。本実施例において、好ましくは、検測部１と係合溝１３が接続状態とされる時
に、検測部１の外側壁が係合溝１３の内側壁に密着されかつゴムリング１４の外側壁が凹
溝４の内側壁に密着されるように構成されている。カバー２における検測部１と反対側且
つカバー２の内部における中間位置に鉄網１２が設けられ、鉄網１２における検測部１と
反対側に第一の止め溝６が設けられており、第一の止め溝６に固定軸１１が設けられ、固
定軸１１は５本設けられており、５本の固定軸１１の中間位置にそれぞれ固定子８が設け
られ、第一の止め溝６における鉄網１２と反対側位置に鋼リング３が設けられ、鋼リング
３の内部における左右両側にそれぞれ固定板１７が設けられ、且つ鋼リング３の内側壁に
第二の止め溝７が設けられており、第二の止め溝７に回動軸１０が設けられ、回動軸１０
は５本設けられることにより、接続がより安定になる。本実施例において、好ましくは、
第一の止め溝６と固定軸１１の間および第二の止め溝７と回動軸１０の間はともに粘着剤
により接続される。５本の回動軸１０の外側にそれぞれ回転板９が設けられることにより
、回転板９を容易に固定させる。本実施例において、好ましくは、各５本の固定子８にお
ける各５本の回転板９寄り側にそれぞれ固定溝が設けられ、該固定溝の幅は回転板９の幅
と同じであることにより、埃などの侵入を防ぐ。本実施例において、好ましくは、回転板
９が閉合状態とされる時に、近隣の回転板９の間および近隣の回転板９と固定板１７の間
はともに隙間なく接触されるように構成されている。５本の回転板９の左側にそれぞれ係
合ブロック１６が設けられており、５本の回転板９の右側、および左側にある固定板１７
の右側にそれぞれ係合穴１８が設けられることにより、実用性を実現するとともに外観も
美しくなる。本実施例において、好ましくは、係合ブロック１６と係合穴１８が接続状態
とされる時に、前記回転板９の上面、係合ブロック１６の上面、固定板１７の上面および
係合穴１８の上面はすべて面一であるように構成されている。
【００１７】
本実用新案の動作原理及び使用手順は以下の如くである。本実用新案にかかる非動作状
態においては、鋼リング３内における近隣の回転板９の間、および近隣の回転板９と固定
板１７の間はともに係合ブロック１６と係合穴１８の係合により隙間なく接続される。こ
の時に、検測部１とカバー２が密閉状態となる。これにより、外部から検測部１の内部へ
の粉塵進入による以降の空気検測の精度に影響を与えることを効果的に防止できる。本実
用新案にかかる動作状態においては、各回転板９は右側が押されながら回動軸１０を回っ
て回転し、各回転板９の左側における係合ブロック１６を係合穴１８から脱離させ、続い
て押され、各回転板９の左側が対応する固定子８の固定溝中に固定されるまで停止する。
この時に、検測部１とカバー２が開放状態となる。これにより、空気検測部１の空気検測
を補助でき、この過程中で、各回転板９が相互に協働し、分流の効果を実現でき、気流が
大きすぎることによる衝撃を回避できる。また、鉄網１２によって、空気中における大き
な不純物が検測部１中に進入することを防ぐことができる。これら両者は相互に協働して
、本装置の使用寿命を延長できる。交換が必要な時に、単に検測部１からカバー２を抜き
取って交換を行えばよく、新しいものを交換してから、係合溝１３（外環５と内環１５の
間隙によりなされる）を検測部１にあわせて押して、係合溝１３と検測部１とが、および
ゴムリング１４と凹溝４とが密接になるまで停止する。これにより、気密性がよく、優れ
る競争力を持たせる。
【００１８】
前記述べたものは、本考案の実施形態だけであり、前記の具体的な実施形態は、普通技
術者は本考案の原理と精神の範疇内において、各種の変形及び修正、置換、変形を行うこ
とができる。本実用新案の保護範囲は、実用新案登録請求の範囲及びその均等物である。
【符号の説明】
【００１９】
１  検測部
２  カバー
３  鋼リング
４  凹溝
５  外環
６  第一の止め溝
７  第二の止め溝
８  固定子
９  回転板
１０  回動軸
１１  固定軸
１２  鉄網
１３  係合溝
１４  ゴムリング
１５  内環
１６  係合ブロック
１７  固定板
１８  係合穴
【図１】
0003224359.tif 000003
【図２】
0003224359.tif 000004
【図３】
0003224359.tif 000005
【図４】
0003224359.tif 000006